(57)【要約】【課題】  高いバストアップ機能を有し、左右の乳房間の谷間を大きく見せることができる乳房カップ及び乳房カップ付き女性用衣類を提供する。【解決手段】  乳房カップ２は、乳房の脇側上部から乳房下部までを覆う下部パーツ１２と、乳房の脇側上部から前中心上部までを覆う上部パーツ１４と、乳房の前中心部を覆う前中心パーツ１６と、乳房のトップ部を覆うトップパーツ１８とを備える。これら４つのパーツの接ぎ合わせにより乳房カップ２は形成される。具体的には、下部パーツ１２と上部パーツ１４とが接ぎ合わせされ、上部パーツ１４と前中心パーツ１６とが接ぎ合わせされ、前中心パーツ１６と下部パーツ１２とが接ぎ合わせされる。またトップパーツ１８は、下部パーツ１２と上部パーツ１４と前中心パーツ１６とに囲まれるように接ぎ合わせされる。【選択図】  図１
2006124890.tif 000002
【特許請求の範囲】
【請求項１】
着用状態で乳房の脇側上部から乳房の下部までを覆う下部パーツと、
着用状態で乳房の脇側上部から前中心側上部までを覆う上部パーツと、
着用状態で乳房の前中心側を覆う前中心パーツと、
着用状態で乳房のトップ部を覆うトップパーツと、を備え、
前記下部パーツと前記上部パーツとが接ぎ合わせされ、前記上部パーツと前記前中心パーツとが接ぎ合わせされ、前記前中心パーツと前記下部パーツとが接ぎ合わせされ、
前記トップパーツは、前記下部パーツと前記上部パーツと前記前中心パーツとに囲まれていることを特徴とする乳房カップ。
【請求項２】
前記トップパーツは、着用状態で乳房の脇側寄りにある第１頂点と、前中心側寄りにある第２頂点と、下部寄りにある第３頂点と、を有し、
前記トップパーツの前記第１頂点から前記第２頂点までの縁部は前記上部パーツと接ぎ合わせされ、
前記トップパーツの前記第２頂点から前記第３頂点までの縁部は前記前中心パーツと接ぎ合わせされ、
前記トップパーツの前記第３頂点から前記第１頂点までの縁部は前記下部パーツと接ぎ合わせされていることを特徴とする請求項１記載の乳房カップ。
【請求項３】
着用状態で乳房の脇側上部から乳房の下部までを覆う下部パーツと、
着用状態で乳房の脇側上部から前中心側上部までを覆う上部パーツと、
凸形状に湾曲したトップ側縁と、その上方隣に続く前中心上縁と、前記トップ側縁の脇側隣に続く脇側下縁とを有し、着用状態で乳房の前中心側を覆う前中心パーツと、
前記トップ側縁よりも緩やかな凹形状に湾曲した前中心側縁と、その上方隣に続くトップ上縁と、前記前中心側縁の脇側隣に続くトップ脇側縁とを有し、着用状態で乳房のトップ部を覆うトップパーツと、を備え、
前記前中心側縁と前記トップ側縁とを接ぎ合わせることにより、前記前中心上縁と前記トップ上縁とが滑らかに連続して合成上縁をなし、かつ、前記脇側下縁と前記トップ脇側縁とが凸形状に滑らかに連続して合成下縁をなす合成パーツが構成され、
前記合成上縁は、前記上部パーツの少なくとも脇寄り部分で凸形状に湾曲した下縁に接ぎ合わされ、
前記合成下縁は、この合成下縁よりも緩やかな凹形状に湾曲した前記下部パーツのトップ側上縁に接ぎ合わされることを特徴とする乳房カップ。
【請求項４】
前記トップパーツは、前記下部パーツ、前記上部パーツ、及び前記前中心パーツのいずれよりもストレッチ性が高いことを特徴とする請求項１〜３のいずれか一項記載の乳房カップ。
【請求項５】
前記トップパーツは、前記下部パーツ、前記上部パーツ、及び前記前中心パーツのいずれよりも着用状態で肌側に膨らんでいることを特徴とする請求項１〜４のいずれか一項記載の乳房カップ。
【請求項６】
前記下部パーツの下縁及び前記前中心パーツの外側縁に沿ってカップワイヤー部をさらに備えることを特徴とする請求項１〜５のいずれか一項記載の乳房カップ。
【請求項７】
請求項１〜６のいずれか一項に記載の乳房カップが取り付けられていることを特徴とする乳房カップ付き女性用衣類。
【請求項８】
前記乳房カップの前記下部パーツの脇側端部に取り付けられた肩ストラップ部をさらに備えることを特徴とする請求項７記載の乳房カップ付き女性用衣類。
【発明の詳細な説明】
【技術分野】
【０００１】
本発明は、乳房カップ及び乳房カップ付き女性用衣類に関するものである。
【背景技術】
【０００２】
ブラジャーなどの乳房カップ付き女性用衣類は、乳房をサポートする保護機能だけでなく、乳房をかたち良く整えて持ち上げるバストアップ機能をも有することが期待されている。女性用衣類に用いられる乳房カップでは、通常２つ又は３つのパーツの接ぎ合わせにより立体的な膨らみが形成されている。例えば、特許文献１では、３つのパーツを接ぎ合わせることによって形成される乳房カップが開示されている。
【０００３】
また、立体的な膨らみを形成するため、図４に示すブラジャー２０に取り付けられた乳房カップ２２のように、４つのパーツの接ぎ合わせによるものが従来知られている。なお、この従来技術はいわゆる公用発明であるから文献公知発明に係るものではない。従って、この従来技術に関して記載すべき先行技術文献はないものと出願人は認識している。
【特許文献１】特開平０９−８７９０３号公報
【発明の開示】
【発明が解決しようとする課題】
【０００４】
ところで、２つ又は３つのパーツの接ぎ合わせでは、４つのパーツの接ぎ合わせに比べると十分なバストアップ機能を達成することができない。図４に示す乳房カップ２２のような４つのパーツの接ぎ合わせでは、２つ又は３つのパーツによる場合に比べ、大幅なバストアップ機能の向上が図られる。
【０００５】
しかし、４つのパーツを図４のように接ぎ合わせる場合、乳房のトップ部において４つのパーツの端部が重なってしまう。したがってこの重なりによりゴロつきが生じ、着用感が損なわれる。さらには、この重なりのために乳房のトップ部で乳房カップは突起してしまう。その上、乳房カップはこの重なりにより乳房のトップ部周辺で厚みを持ってしまい、乳房を形良よく見せる造形性も損なわれることとなる。
【０００６】
本発明は、上記問題点を解消するためになされたものであり、着用感を損なうことなく高いバストアップ機能を有し、左右の乳房間の谷間を大きく見せることができる乳房カップ及び乳房カップ付き女性用衣類を提供することを目的とする。
【課題を解決するための手段】
【０００７】
このような目的を達成するために、本発明による乳房カップは、着用状態で乳房の脇側上部から乳房の下部までを覆う下部パーツと、着用状態で乳房の脇側上部から前中心側上部までを覆う上部パーツと、着用状態で乳房の前中心側を覆う前中心パーツと、着用状態で乳房のトップ部を覆うトップパーツと、を備え、下部パーツと上部パーツとが接ぎ合わせされ、上部パーツと前中心パーツとが接ぎ合わせされ、前中心パーツと下部パーツとが接ぎ合わせされ、トップパーツは、下部パーツと上部パーツと前中心パーツとに囲まれていることを特徴とする。
【０００８】
上記の乳房カップでは４つのパーツが接ぎ合わせされ、縫着されている。そのため、２つ又は３つのパーツによる場合に比べ、より立体的な膨らみが形成され高いバストアップ効果を奏することが可能となる。また、４つのパーツの接ぎ合わせを上記のようにすることにより、各パーツはそれぞれ、他のパーツと有機的に関連しながら、バストアップ機能を図るための役割を果たすことが可能となる。具体的には、下部パーツによって下側から押し上げられた乳房のトップ部周辺をトップパーツで上方に持ち上げ、上部パーツで乳房のはみ出しを押さえつける。その結果、乳房カップは高いバストアップ機能を有し、左右の乳房間の谷間を大きく見せることが可能となる。また、この乳房カップでは、トップパーツによって乳房のトップ部が覆われるので、着用時にゴロつきを生じることがなく、着用感は損なわれない。
【０００９】
また、トップパーツは、着用状態で乳房の脇側寄りにある第１頂点と、前中心側寄りにある第２頂点と、下部寄りにある第３頂点と、を有し、トップパーツの第１頂点から第２頂点までの縁部は上部パーツと接ぎ合わせされ、トップパーツの第２頂点から第３頂点までの縁部は前中心パーツと接ぎ合わせされ、トップパーツの第３頂点から第１頂点までの縁部は下部パーツと接ぎ合わせされていることが好ましい。
【００１０】
このようにトップパーツが３つの頂点を有し、各頂点で他の２つのパーツと接ぎ合わせされると、トップパーツの各頂点では最大で３つのパーツが接ぎ合わせされることとなる。そのため、４つのパーツの頂点が接ぎ合わせされる場合に比べゴロつき感が少なく、着用感が損なわれない。
【００１１】
本発明による乳房カップは、着用状態で乳房の脇側上部から乳房の下部までを覆う下部パーツと、着用状態で乳房の脇側上部から前中心側上部までを覆う上部パーツと、凸形状に湾曲したトップ側縁と、その上方隣に続く前中心上縁と、トップ側縁の脇側隣に続く脇側下縁とを有し、着用状態で乳房の前中心側を覆う前中心パーツと、トップ側縁よりも緩やかな凹形状に湾曲した前中心側縁と、その上方隣に続くトップ上縁と、前中心側縁の脇側隣に続くトップ脇側縁とを有し、着用状態で乳房のトップ部を覆うトップパーツと、を備え、前中心側縁とトップ側縁とを接ぎ合わせることにより、前中心上縁とトップ上縁とが滑らかに連続して合成上縁をなし、かつ、脇側下縁とトップ脇側縁とが凸形状に滑らかに連続して合成下縁をなす合成パーツが構成され、合成上縁は、上部パーツの少なくとも脇寄り部分で凸形状に湾曲した下縁に接ぎ合わされ、合成下縁は、この合成下縁よりも緩やかな凹形状に湾曲した下部パーツのトップ側上縁に接ぎ合わされることを特徴とする。
【００１２】
この乳房カップにおいて、乳房のトップ部から前中心部を覆う合成パーツは、前中心パーツの凸形状に湾曲したトップ側縁と、このトップ側縁よりも緩やかな凹形状に湾曲したトップパーツの前中心側縁とを接ぎ合わせて構成されるので、この合成パーツ自身で立体形状を有することとなる。また、合成パーツが有する合成下縁と合成上縁とは滑らかに連続しているので、それぞれが下部パーツのトップ側上縁及び上部パーツの下縁に接ぎ合わせされることにより、この乳房カップは乳房の形状にフィットする立体形状をなすことができる。さらに、合成下縁は凸形状をなし、これよりも緩やかな凹形状に湾曲した下部パーツのトップ側上縁に接ぎ合わせされるので、乳房カップは乳房の脇側下部からトップ部に向かう立体的な膨らみ形状を造ることができる。加えて、滑らかに連続する合成上縁は、上部パーツの少なくとも脇寄り部分で凸形状に湾曲した下縁に接ぎ合わされるので、この乳房カップでは乳房の脇側上部から前中心方向に向かう立体的な包み込み形状が造られる。このようにして、この乳房カップでは、高いバストアップ機能が実現され、左右の乳房間の谷間を大きく見せることが可能となる。また、この乳房カップでは、トップパーツによって乳房のトップ部が覆われるので、着用時にゴロつきを生じることがなく、着用感は損なわれない。
【００１３】
また、トップパーツは、下部パーツ、上部パーツ、及び前中心パーツのいずれよりもストレッチ性が高いことが好ましい。ストレッチ性を高めることで、トップパーツでの押さえつけ機能を高めることができる。これにより、バストアップ機能がさらに高まり、左右の乳房間の谷間をさらに大きく見せることが可能となる。なお、本明細書でいうストレッチ性とは伸張度のことをいい、ストレッチ性が高いとは、同じ力で引っ張ったときの伸張度が大きいことをいう。
【００１４】
また、トップパーツは、下部パーツ、上部パーツ、及び前中心パーツのいずれよりも着用状態で肌側に膨らんでいることが好ましい。肌側への膨らみにより、トップパーツの押さえつけ機能がさらに向上される。
【００１５】
乳房カップは、下部パーツの下縁及び前中心パーツの外側縁に沿ってカップワイヤー部をさらに備えていてもよい。カップワイヤー部を備えることで、カップの保形性が向上し、さらにはバストアップ効果も図られる。
【００１６】
本発明による乳房カップ付き女性用衣類は、上記した乳房カップが取り付けられていることを特徴とする。ここで乳房カップ付き女性用衣類には、ブラジャーやブラキャミソールのようなファンデーション衣類の他に、水着やレオタード等も含まれる。上記したような乳房カップ部を取り付けることによって、高いバストアップ機能を有し、左右の乳房間の谷間を大きく見せることができる乳房カップ付き女性用衣類を提供することが可能となる。
【００１７】
また、乳房カップの下部パーツの脇側端部に取り付けられた肩ストラップ部をさらに備えることが好ましい。肩ストラップによって乳房カップの下部パーツが上方へ引っ張られることにより、乳房が寄せ上げられ高いバストアップ効果が図られる。
【発明の効果】
【００１８】
本発明によれば、高いバストアップ機能を有して左右の乳房間の谷間を大きく見せることができる乳房カップ及び乳房カップ付き女性用衣類を提供することができる。
【発明を実施するための最良の形態】
【００１９】
以下、図面とともに、本発明による乳房カップ及び乳房カップ付き女性用衣類の実施形態について詳細に説明する。
【００２０】
図１は実施形態のブラジャー１を前側から見た斜視図である。ブラジャー１は、乳房を覆う左右一対の乳房カップ２を備える。対である乳房カップ２は、連結部５によって前中心部分で連結される。また、左右一対の乳房カップ２に対し、バック部６がそれぞれの脇側端部に取り付けられている。バック部６は、胴囲を一周し背中で連結されることにより乳房カップ２を固定する。  
【００２１】
乳房カップ２は下部パーツ１２、上部パーツ１４、前中心パーツ１６、及びトップパーツ１８の４つのパーツを有する。下部パーツ１２は、着用状態において乳房の脇側上部から下部までを覆う。上部パーツ１４は、着用状態において乳房の脇側上部から前中心側上部まで覆う。前中心パーツ１６は、着用状態において乳房の前中心側上部から前中心側下部までを覆う。トップパーツ１８は、着用状態において乳房のトップ部を覆う。図２に、これらのパーツの展開図を示す。これらの４つのパーツが接ぎ合わせされ縫着されることによって、カップ形状を成す立体形状の乳房カップ２が形成される。なお、図１では、右側乳房カップ（着用時に右側乳房を覆う乳房カップ）の各パーツの境界線の記載を省略している。
【００２２】
ここで、これら４つのパーツの接ぎ合わせについて説明する。図１に示すように、トップパーツ１８は、下部パーツ１２と上部パーツ１４と前中心パーツ１６とに囲まれるように、それぞれと接ぎ合わせされる。具体的には、図１及び図２に示すように、トップパーツ１８は第１頂点１８Ａ、第２頂点１８Ｂ、及び第３頂点１８Ｃの３つの頂点を有し、着用状態において第１頂点１８Ａは乳房の脇側寄りに、第２頂点１８Ｂは乳房の前中心側寄りに、第３頂点１８Ｃは下部寄りに位置する。そして、トップパーツ１８の第１頂点１８Ａから第２頂点１８Ｂまでの縁部であるトップ上縁１８ｌが、上部パーツ１４と接ぎ合わせされる。また、トップパーツ１８の第２頂点１８Ｂから第３頂点１８Ｃまでの縁部である前中心側縁１８ｍが、前中心パーツ１６と接ぎ合わせされる。さらに、トップパーツ１８の第３頂点１８Ｃから第１頂点１８Ａまでの縁部であるトップ脇側縁１８ｎが、下部パーツ１２と接ぎ合わせされる。このようにして、トップパーツ１８は、下部パーツ１２と上部パーツ１４と前中心パーツ１６とに囲まれて縫着される。
【００２３】
トップパーツ１８を取り囲む３つのパーツ１２、１４、１６の接ぎ合わせに関しては、図１に示すように、下部パーツ１２と上部パーツ１４とが継ぎ合わせされ、上部パーツ１４と前中心パーツ１６とが継ぎ合わせされ、前中心パーツ１６と下部パーツ１２とが継ぎ合わせされる。
【００２４】
これら４つのパーツの形状について、図１及び図２を参照して詳細に説明する。下部パーツ１２は、バージスラインに沿うように大きく凸形状に湾曲した下縁１２ｌと、大きく凹形状に湾曲したトップ側上縁１２ｍとを有しており、その形状は前中心側下方の頂点に向かって徐々に幅が狭くなる嘴形状である。上部パーツ１４は、脇側で大きく凸形状に湾曲した下縁１４ｌと、脇側で凹形状に緩やかに湾曲しつつ前中心側で凸形状に緩やかに湾曲した上縁１４ｍとを有する長尺形状である。前中心パーツ１６は、凸形状に湾曲したトップ側縁１６ｍと、その上方隣に続き且つ上部パーツ１４の下縁１４ｌと接ぎ合わされる前中心上縁１６ｎと、トップ側縁１６ｍの脇側隣に続き且つ下部パーツ１２のトップ側上縁１２ｍと接ぎ合わされる脇側下縁１６ｌと、バージスラインに沿うように凸形状に緩やかに湾曲した外側縁と、を有する四角形に類似の形状である。トップパーツ１８は、前中心パーツ１６のトップ側縁１６ｍに接ぎ合わされる凹形状に緩やかに湾曲した前中心側縁１８ｍと、その上方隣に続き且つ上部パーツ１４の下縁１４ｌと接ぎ合わされる凸形状に湾曲したトップ上縁１８ｌと、前中心側縁１８ｍの脇側隣に続き且つ下部パーツ１２のトップ側上縁１２ｍに接ぎ合わされる大きく凸形状に湾曲したトップ脇側縁１８ｎとを有する逆三角形に類似の形状である。
【００２５】
乳房カップ２のトップパーツ１８は、上記したように、凹形状に湾曲した前中心側縁１８ｍで、凸形状に湾曲した前中心パーツ１６のトップ側縁１６ｍと接ぎ合わせされる。トップパーツ１８の前中心側縁１８ｍは、前中心パーツ１６のトップ側縁１６ｍに比べ、緩やかに湾曲している。そのため、前中心パーツ１６とトップパーツ１８とを接ぎ合わせると、トップパーツ１８のトップ上縁１８ｌと前中心パーツ１６の前中心上縁１６ｎとが１本の連続する滑らかな曲線状の合成上縁となり、トップパーツ１８のトップ脇側縁１８ｎと前中心パーツ１６の脇側下縁１６ｌとが滑らかな凸形状である１本の連続する曲線状の合成下縁となる。その結果、前中心パーツ１６とトップパーツ１８とを接ぎ合わせた合成パーツは、略カップ状の立体形状を有する。これを１つのパーツと考えると、乳房カップ２は１つの立体パーツ及び２つの平面パーツの計３つのパーツの接ぎ合わせと考えられる。
【００２６】
また、トップパーツ１８は、他の３つのパーツである下部パーツ１２、上部パーツ１４、及び前中心パーツ１６のいずれよりもストレッチ性が高い。なお、ストレッチ性が高いとは、前述したように、同じ力で引っ張ったときの伸張度が大きいことをいい、伸張率が高いことを意味する。例えば、トップパーツ１８は他の３つのパーツ１２、１４、１６に比べて１．５倍〜４倍、望ましくは２．８倍〜２．９倍大きい伸張率を有することが好ましい。ここで、伸張率（％）は、ＪＩＳ  Ｌ１０９６Ｂ法に規定される測定方法（『一般織物試験方法  ＪＩＳ  Ｌ  １０９６』、平成１１年４月２０日  改正、日本規格協会発行、１５ページにある「８．１４．１伸張率  Ｂ法」の項に記載の方法）に準拠して測定される値である。上記したトップパーツ１８の伸張率は、２００４年９月に財団法人日本化学繊維検査協会京都検査所において、ＪＩＳ  Ｌ１０９６Ｂ法に基づき測定された結果（発行Ｎｏ．ＫＴ−１２０１７）である。
【００２７】
また、図３に、ブラジャー１が着用された状態の側面断面図を示す。図３に示すように、トップパーツ１８は、下部パーツ１２、上部パーツ１４、及び前中心パーツ１６のいずれよりも乳房カップ２の表面に対し肌側に膨らんでいる。
【００２８】
４つのパーツで形成された乳房カップ２は、さらに樹脂製または金属製のカップワイヤー（図示せず）を芯材とするカップワイヤー部４を有する。カップワイヤー部４は、図１に示すように、乳房カップ２の下部パーツ１２の下縁１２ｌ及び前中心パーツ１６の外側縁に沿って設けられる。
【００２９】
肩ストラップ８は、乳房カップ２の下部パーツ１２の脇側上端部に取り付けられる。乳房カップ２で覆われた乳房を持ち上げる引っ張り力が着用時に働くよう、肩ストラップ８の他端は図１に示すようバック部６に取り付けられる。
【００３０】
次に、上記実施形態によるブラジャー１の効果について説明する。
【００３１】
ブラジャー１の乳房カップ２は、４つのパーツ１２、１４、１６、１８の接ぎ合わせにより形成される。このように複数のパーツによって形成されることにより、乳房カップ２の立体的な膨らみが可能となる。特に、乳房カップ２は、４つのパーツ１２、１４、１６、１８の接ぎ合わせによって形成されている。そのため、２つ又は３つのパーツによる場合に比べ、より立体的な膨らみを形成し、高いバストアップ効果を奏することが可能となる。
【００３２】
また、乳房カップ２では、４つのパーツ１２、１４、１６、１８の接ぎ合わせ方を工夫することにより、各パーツにそれぞれの役割を果たさせ、さらには他のパーツと有機的な関連を持たせている。このことにより、乳房カップ２において高いバストアップ効果が図られる。これらのパーツの役割を具体的に述べると、下部パーツ１２は乳房の脇側一帯から下部までを覆い、乳房を下側から持ち上げ、乳房のトップ部を押し上げる。トップパーツ１８は、こうして押し上げられた乳房のトップ部を押さえつけるタミー機能を発揮する。さらに、上部パーツ１４は、こうして押し上げられ、押さえつけられた乳房が乳房カップ２からはみ出さないように押さえつけることにより、乳房を上部に押し上げる。こうして、各パーツがそれぞれの役割を果たし、かつ有機的に関連することによって、乳房カップ２は高いバストアップ機能を発揮することができる。このように高いバストアップ効果が実現されることにより、左右の乳房間の谷間を大きく見せることが可能となる。
【００３３】
また、乳房カップ２では、乳房のトップ部は、図４に示す従来の乳房カップ２２のように４つのパーツの重なりによって覆われるのではなく、トップパーツ１８によって覆われる。そのため、トップ部におけるゴロつきが生じず、着用感は損なわれない。
【００３４】
さらに、トップパーツ１８は３つの頂点１８Ａ、１８Ｂ、１８Ｃを有し、各頂点において他の２つのパーツと接ぎ合わせされる。すなわち、第１頂点１８Ａでは下部パーツ１２及び上部パーツ１４と接ぎ合わせされ、第２頂点１８Ｂでは上部パーツ１４及び前中心パーツ１６と接ぎ合わせされ、第３頂点１８Ｃでは前中心パーツ１６と下部パーツ１２と接ぎ合わせされる。したがって、トップパーツ１８の各頂点１８Ａ、１８Ｂ、１８Ｃでは３つのパーツが接ぎ合わせされることとなる。そのため、４つのパーツの頂点が接ぎ合わせされる場合に比べ生じるゴロつき感が少なく、したがって着用感も損なわれない。
【００３５】
また、乳房カップ２において、前中心パーツ１６とトップパーツ１８とにより構成される合成パーツは、前中心パーツ１６の凸形状に湾曲したトップ側縁１６ｍと、このトップ側縁１６ｍよりも緩やかな凹形状に湾曲したトップパーツ１８の前中心側縁１８ｍとを接ぎ合わせて形成される。したがって、この合成パーツ自身が立体形状を有することとなる。また、トップパーツ１８のトップ上縁１８ｌと前中心パーツ１６の前中心上縁１６ｎとで形成される合成上縁、及びトップパーツ１８のトップ脇側縁１８ｎと前中心パーツ１６の脇側下縁１６ｌとで形成される合成下縁はいずれも滑らかに連続している。そのため、これらがそれぞれ下部パーツ１２のトップ側上縁１２ｍ及び上部パーツ１４の下縁１４ｌに接ぎ合わせされることにより、この乳房カップ２は乳房の形状にフィットする立体形状をなす。さらに、合成下縁は凸形状をなし、これよりも緩やかな凹形状に湾曲した下部パーツ１２のトップ側上縁１２ｍに接ぎ合わせされるので、乳房カップ２は乳房の脇側下部からトップ部に向かう立体的な膨らみ形状を造ることができる。加えて、滑らかに連続する合成上縁は、上部パーツ１４の少なくとも脇寄り部分で凸形状に湾曲した下縁１４ｌに接ぎ合わされるので、この乳房カップ２では乳房の脇側上部から前中心方向に向かう立体的な包み込み形状が造られる。このようにして、乳房カップ２は、立体形状を有する合成パーツを有し、さらに他の２つのパーツがこの合成パーツを囲むようにして形成される（すなわち、１つの立体パーツ及び２つの平面パーツの計３つのパーツの接ぎ合わせと考えられる）ため、３つの平面パーツを単純に接ぎ合わせた場合に比べ、より立体的な膨らみを形成することが可能となる。これにより、乳房カップ２では、高いバストアップ機能が実現され、左右の乳房間の谷間を大きく見せることが可能となる。
【００３６】
また、トップパーツ１８は、他の３つのパーツ１２、１４、１６のいずれよりもストレッチ性が高い。ストレッチ性を高めることで、トップパーツ１８において乳房を押さえつけるタミー機能も高まる。これにより、バストアップ効果がさらに向上し、左右の乳房間の谷間をより大きく見せることが可能となる。
【００３７】
また、トップパーツ１８は、図３に示すように、他の３つのパーツ１２、１４、１６のいずれよりも肌側に膨らんでいる。肌側に形成されたこの膨らみにより、トップパーツ１８では乳房の押さえつけ機能がさらに向上し、乳房をより上方に押し上げることができるようになる。
【００３８】
さらに、乳房カップ２は、カップワイヤー部４を有する。これにより、乳房カップ２の保形性が向上し、さらにはバストアップ機能の向上も実現される。
【００３９】
また、ブラジャー１には、上記したような効果を有する乳房カップ２が取り付けられている。そのため、ブラジャー１を着用することにより、高いバストアップ効果が発揮され、左右の乳房間の谷間を大きく見せることが可能となる。さらには、ブラジャー１では、着用感を害されることもない。
【００４０】
また、乳房カップ２の下部パーツ１２の脇側端部に肩ストラップ８が取り付けられている。そのため、ブラジャー１の着用時、肩ストラップ８は乳房カップ２の下部パーツ１２を上方に引っ張る。こうして肩ストラップ８によって上方に引っ張り上げられることにより、乳房が寄せ上げられ、高いバストアップ効果が発揮される。
【００４１】
本発明による乳房カップ及び乳房カップ付き女性用衣類は、上記した実施形態及び構成例に限られるものではなく、様々な変形が可能である。例えば、上記実施形態はブラジャーに関するものであるが、各種の乳房カップ付き女性用衣類に適用できる。例えば、ブラスリップ、ブラキャミソール、スリーインワン、ボディスーツ、レオタード、水着、ブラドレス等である。また、カップワイヤー部はあった方が好適であるが、カップワイヤー部のないブラジャーであってもよい。また、肩ストラップはなくてもよく、ストラップレス型のブラジャー等であってもよい。さらに、乳房カップ部はフルカップのブラジャー等に限らず、３／４カップ、７／８カップ、及びハーフカップのブラジャー等であってもよい。ただし、３／４カップ、７／８カップ、及びフルカップのブラジャー等が好適である。
【産業上の利用可能性】
【００４２】
本発明は、高いバストアップ機能を有して左右の乳房間の谷間を大きく見せることができる乳房カップ及び乳房カップ付き女性用衣類として利用可能である。
【図面の簡単な説明】
【００４３】
【図１】実施形態に係るブラジャーの斜視図である。
【図２】実施形態に係る乳房カップの展開図である。
【図３】実施形態に係るブラジャーが着用された状態での側面断面図である。
【図４】従来の乳房カップが取り付けられたブラジャーの斜視図である。
【符号の説明】
【００４４】
１…ブラジャー、２、２２…乳房カップ、４…カップワイヤー部、５…連結部、６…バック部、８…肩ストラップ、１２…下部パーツ、１２ｌ…下縁、１２ｍ…トップ側上縁、１４…上部パーツ、１４ｌ…下縁、１４ｍ…上縁、１６…前中心パーツ、１６ｌ…脇側下縁、１６ｍ…トップ側縁、１６ｎ…前中心上縁、１８…トップパーツ、１８Ａ…第１頂点、１８Ｂ…第２頂点、１８Ｃ…第３頂点、１８ｌ…トップ上縁、１８ｍ…前中心側縁、１８ｎ…トップ脇側縁
【図１】
2006124890.tif 000003
【図２】
2006124890.tif 000004
【図３】
2006124890.tif 000005
【図４】
2006124890.tif 000006